(57)【特許請求の範囲】
【請求項１】
先端部に塗布部を形成し且つ基端部に小櫛を一体に形成した用具本体の柄部に収容部を貫設すると共に、前記収容部内にスライスをその基端部の薄肉ヒンジとサイドゲートを介して前記用具本体と一体に形成し、前記スライスを前記サイドゲートで切り離して回動可能とすると共に、前記薄肉ヒンジで回転させて前記柄部の長手方向に沿って固定可能に構成したことを特徴とする毛染め用具。
【請求項２】
前記柄部の基端部に係止溝を設けるとともに、前記サイドゲートを前記スライス側に残して切り離し、前記係止溝と前記サイドゲートとの係合によって前記スライスが固定される構成としたことを特徴とする請求項１記載の毛染め用具。
【請求項３】
前記塗布部を植毛ブラシと櫛とで構成したことを特徴とする請求項１又は請求項２記載の毛染め用具。
【発明の詳細な説明】
【０００１】
【発明の属する技術分野】
本発明は、毛染め剤やヘヤーマニキュア剤を毛髪に塗布するために使用する毛染め用具に関する。
【０００２】
【従来の技術】
市販の半流動性を有する毛染め剤やヘヤーマニキュア剤（以下毛染め剤と言う）に用いる毛染め用具としては、主としてナイロンフィラメントをブラシ本体に植毛形成した植毛ブラシや、櫛や、多数の櫛歯から成る櫛歯ブラシ部をブラシ本体と一体成形した合成樹脂成形ブラシが用いられている。
【０００３】
植毛ブラシは、ブラシ部の密度が高いので、毛染め剤の含浸保持性に優れ、含浸量の調整も容易である。従って、生え際などの部分染めや表層部の毛髪の染髪に適しているが、深層部の毛髪への食い込みが悪く、頭髪の広範囲の染髪には適していない。
【０００４】
また、合成樹脂成形ブラシは、櫛歯がよく深層部の毛髪に迄食い込むので広範囲の染髪に適している。しかしながら、毛染め剤の保持性が悪く、保持量の調整も難しいので生え際などの部分染めには適していない。
【０００５】
そこで、図５に示すように、ブラシ本体４０の一端部の両側に植毛ブラシ４１と櫛４２を設けて上記の問題に対応すると共に、更に、ブラシ本体４０のもう一端部に髪を分ける為に使用する先細り棒状のスライス４３を一体に設けて髪を捌き易くした毛染め用具が提案されている。
【０００６】
【発明が解決しようとする課題】
しかしながら、上記の毛染め用具は、植毛ブラシ４１と櫛４２を使い分けることにより、表層の頭髪の部分染めや頭髪全体を効率的よく染髪することができるが、髪の生え際等の深層を塗布効率よく部分染髪するには、従来の植毛ブラシ４１では食い込みが悪く、頭皮に近い深層部の繊細な部分染髪操作ができず、使い勝手が十分とは言えなかった。
【０００７】
また、スライス部４３を設けて長尺にすることにより多機能化されるが、不使用時も用具全体が長尺で、保管や携帯に不便が生ずる。そこで、スライス４３をブラシ本体４０と着脱可能な別部材に形成し、使用するときブラシ本体と連結して使用する毛染め用具も提案されている。
【０００８】
しかしながら、スライスを本体と別部材とすることは、コストアップとなると共に、分離したスライスを落としたり紛失することもあり、保管性にも問題があった。
【０００９】
本発明は、従来の毛染め用具が機能性及び保管性において不充分であると言う問題に鑑みてなされたものである。
【００１０】
【課題を解決するための手段】
本発明は、先端部に塗布部を形成し且つ基端部に小櫛を一体に形成した用具本体の柄部に収容部を貫設すると共に、前記収容部内にスライスをその基端部の薄肉ヒンジとサイドゲートを介して前記用具本体と一体に形成し、前記スライスを前記サイドゲートで切り離して回動可能とすると共に、前記薄肉ヒンジで回転させて前記柄部の長手方向に沿って固定可能に構成した。これにより、小櫛を使って髪の生え際やその深層部に塗布効率よく部分染髪できる。また、収納部からスライスを取り出して長尺にして使用でき、使い終わったスライスは収容部内に戻して用具を短尺にして保管できる。
【００１１】
また、前記柄部の基端部に係止溝を設けるとともに、前記サイドゲートを前記スライス側に残して切り離し、前記係止溝と前記サイドゲートとの係合によって前記スライスが固定されるようにしてもよい。
【００１２】
また、塗布部を植毛ブラシと櫛とで構成したことにより、小櫛と相まって従来よりも多様で繊細な染髪操作ができる。
【００１３】
【発明の実施の形態】
以下、本発明の好適な実施の形態を添付図面を参照しながら詳細に説明する。
【００１４】
図１乃至図５は、本発明の毛染め用具を示しており、先端部に塗布部２を設け且つ基端に小櫛３が形成された用具本体１と、用具本体１の柄部４に貫設された収容部５内に薄肉ヒンジ６とサイドゲート７、７とで用具本体１と一体に連結形成されたスライス２０とで構成されている。
【００１５】
用具本体１とスライス２０はポリプロピレン樹脂を用いて射出成形方法で一体に成形されており、用具本体１の先端部は、ナイロンフィラメントを用具本体１の一側に植毛形成した植毛ブラシ８と、この植毛ブラシ８の反対側に用具本体１と一体成形された櫛９とから成る塗布部２となっている。植毛ブラシ８は主に表層の頭髪の部分染めに使用され、櫛９は主に歯並び間隔が大きくて髪が梳き易いので頭髪を広く深く染髪するときに使用され、両者を適宜使い分けて使用するようになっている。
【００１６】
塗布部２に連続する長板状の柄部４の基端部４ａには、柄部４の基端縁に開放された柄部４長手方向の溝１０が形成されており、溝１０の底面は薄肉ヒンジ６を介してスライス２０の平坦な基端部２１上面と面一に連続していると共に、溝１０底の開放端側は基端縁から切り込まれた歯並び間隔の小さい溝幅Ｈの小櫛３が形成されている。
【００１７】
小櫛３は、歯先３ａとなる開放端下方向へ緩やかに湾曲傾斜していると共に溝幅Ｈ方向にも緩やかに凹曲形成されていてスプーン状の液溜まり１２を有している。また、小櫛３が形成されてた柄部４の基端部４ａの両側には、柄部４の軸線に直角方向の係止溝１１、１１が設けられている。
【００１８】
スライス２０は、柄部４の収容部５内にあって柄部４の軸線上に収容部５とほぼ相似形に用具本体１と一体に形成されており、緩やかな先細りに形成された棒部２２と、前記溝１０の底の平面とほぼ同一形状に形成された溝１０に嵌合可能な基端部２１を有しており、基端部２１の基端において薄肉ヒンジ６を介して溝１０の底と回動可能に連結されている。
【００１９】
また、スライス２０の基端部２１両側にあって、薄肉ヒンジ６を中心に挟む係止溝１１、１１との等距離の位置には、スライス２０の基端部２１と用具本体１の柄部４とに架橋するサイドゲート７、７を有している。このサイドゲート７、７は、成形時の湯道であると共に、ゲート切断後スライス２０側に切り残し、スライス２０を使用するとき柄部４の係止溝１１、１１に係合する係止用突起となるものであり、係止溝１１、１１の幅とほぼ同寸の幅を有している。また、基端部２１のサイドゲート７、７の近傍下方には僅かに突出した係止突起２３、２３が突設されている。
【００２０】
以上のように構成された本実施の形態は、使用前には、図１に示すように、用具本体１とスライス２０はサイドゲート７、７で連結状態にある。毛髪を分ける為に始めてスライス２０を使用するときは、サイドゲート７、７を収容部５の壁に沿って切り離してスライス２０を薄肉ヒンジ６で回動可能にする。このときサイドゲート７、７をスライス２０側に残して切断し係止用突起として使用する。
【００２１】
回動可能となったスライス２０を薄肉ヒンジ６を軸にして柄部４の溝１０方向に１８０度回転させ、図４に示すように、スライス２０の基端部２１を溝１０内に押し込む。
【００２２】
上記の操作により、図４に示すように、スライス２０基端部２１の係止突起２３、２３が溝１０壁に圧接すると共にサイドゲート７、７が係止溝１１、１１に嵌合し、スライス２０の基端部２１は柄部４の基端部４ａに確実に係止する。従って、スライス２０は柄部４の長手方向に沿って柄部４の基端から突出して溝１０内に固定され、用具全体として２０センチ前後の使い勝手の良い適度な長尺の大きさとなる。
【００２３】
スライス２０を使用しない場合や小櫛３を使用する場合、また、用具を保管する場合には、スライス２０の溝１０での固定を解除し、薄肉ヒンジ６で回動して収容部５内の元の位置に戻して収納しておく。従って、用具は１５センチ程の短尺となり、保管や携帯に便利であると共に、スライス２０を紛失する心配もない。また、スライス２０を収容部５内に収納した状態で用具を使用する場合は、スライス２０は柄部４と共に使用者の手指で把持されるので、塗布操作の邪魔になることがない。
【００２４】
広範囲の頭髪の染髪や表層の部分染めには、従来のものと同様に櫛９と植毛ブラシ８を使い分けて染髪する。図示した櫛９は、櫛歯９ａが一列に列設されものとなっているが、櫛９は図示のものに限るものではなく、多数の櫛歯を幅広く一体に林立形成した周知の染髪用櫛歯ブラシ（図示省略）でも良いことは言う迄もない。
【００２５】
毛髪の生え際や深層部に及ぶ部分染めには小櫛３が使用される。小櫛３はスプーン状の液溜まり１２を有しているので、毛染め剤の塗布操作の際、毛髪に付着している余分な毛染め剤を細かい櫛歯で液溜まり１２にすくい取ることができる。これにより毛染め剤の皮膚への付着を最小限に抑えることができる。
【００２６】
【発明の効果】
本発明は、以上説明したような形態で実施され、以下に記載されるような効果を奏する。
【００２７】
先端部に塗布部を形成し且つ基端に小櫛が形成された用具本体の柄部に収容部を設け、収容部内に薄肉ヒンジとサイドゲートとで連結してスライスを一体に形成したものであるので、サイドゲートで切断したスライスを長尺にして使い易くして使用できると共に使用しないスライスは柄部に収納しておくことができる。従って、スライス付きの毛染め用具がコンパクトになると共にスライスを紛失する心配もなくなり、保管性と携帯性に優れた使い勝手の良いものとなっている。
【００２８】
また、スライスの用具本体への蝶番を使った組み付け工程がないので製造が簡単であるとともに、植毛ブラシ以外は一体成形物であるので、従来機構にスライスと小櫛を付加した多機能の毛染め用具を安価に提供することができる。
【００２９】
また、塗布部を周知の植毛ブラシと櫛とするとともに、柄部の基端部に小櫛を設けたので、従来の染髪機能に加えてより繊細な染髪が可能となり、コンパクトな一つの用具で多彩な毛染め操作を効率的にすることができる。
【図面の簡単な説明】
【図１】本発明の毛染め用具の実施の形態を示す平面図。
【図２】図１に示す毛染め用具の柄部の端面図。
【図３】図１に示す毛染め用具の（Ａ）はスライスの側面図、（Ｂ）１８０度回転させた状態のスライスの断面図。
【図４】図１に示す毛染め用具のスライスが使用可能にセットされた状態の平面図。
【図５】従来例を示す平面図。
【符号の説明】
１  用具本体，２  塗布部，３  小櫛，４  柄部，４ａ  基端部，５  収容部，６  薄肉ヒンジ，７、７  サイドゲート，８  植毛ブラシ，９  櫛，１１、１１  係止溝，２０  スライス，２１  基端部，
【図１】
0004273370.tif 000002
【図２】
0004273370.tif 000003
【図３】
0004273370.tif 000004
【図４】
0004273370.tif 000005
【図５】
0004273370.tif 000006